(57)【要約】【課題】ディスプレイパネルを小型化した場合でも、視野角特性を向上させる。【解決手段】発光素子４５の光軸が、行方向における副画素の位置に応じて、発光素子４５の発光面の法線に対して行方向における表示領域の中心側に傾斜した発光素子を含み、かつ、発光素子４５の光軸が、列方向における副画素の位置に応じて、発光素子４５の発光面の法線に対して列方向における表示領域の中心側に傾斜した発光素子を含む。発光素子４５の光軸の傾斜の範囲は、行方向と列方向とで異なり、副画素は、行方向および列方向のうち、前記傾斜の範囲が大きい方向には同色のカラーフィルターが並び、他の方向には互いに異なる色のカラーフィルターが並ぶように配置される。【選択図】図４
2018128683.tif 000002
【特許請求の範囲】
【請求項１】
表示領域の第１の方向および前記第１の方向と交差した方向である第２の方向に配列された複数の副画素を備える電気光学装置であって、
前記複数の副画素の各々は、
発光素子と、
カラーフィルターと、を備え、
前記複数の副画素は、互いに異なる色のカラーフィルターを備えた副画素を含み、該カラーフィルターに対応して表示色が異なり、
前記複数の副画素は、前記複数の副画素に含まれる発光素子の光軸が、各々の副画素の位置に応じて、各々の発光素子の発光面の法線に対して前記表示領域の中心側に傾斜した発光素子を含み、
前記複数の副画素に含まれる発光素子の光軸が傾斜する範囲は、前記第１の方向と前記第２の方向とで異なり、
前記複数の副画素は、前記第１の方向および前記第２の方向のうち、前記複数の副画素に含まれる発光素子の光軸が傾斜する範囲が大きい方向には同色の前記カラーフィルターが並び、他の方向には互いに異なる色の前記カラーフィルターが並ぶように配置されている、
ことを特徴とする電気光学装置。
【請求項２】
前記複数の副画素は、前記複数の副画素に含まれる前記カラーフィルターの前記他の方向における中心位置が、前記発光素子の発光面の前記他の方向における中心位置に対してずれている副画素を含む、
ことを特徴とする請求項１に記載の電気光学装置。
【請求項３】
前記複数の副画素は、前記他の方向において隣り合うカラーフィルターと平面視で重なり合うように配置され、平面視で重なり合う幅が、前記他の方向における前記副画素の位置に応じて異なる副画素を含む、
ことを特徴とする請求項１または請求項２に記載の電気光学装置。
【請求項４】
前記複数の副画素は、前記他の方向において、赤色のカラーフィルター、緑色のカラーフィルター、および青色のカラーフィルターの順序で繰り返し配置されており、前記傾斜であって、当該順序の方向の傾斜が大きいほど、平面視で緑色のカラーフィルターが赤色のカラーフィルターと重なり合う幅が小さい副画素を含む、
ことを特徴とする請求項１ないし請求項３のいずれか一に記載の電気光学装置。
【請求項５】
前記複数の副画素は、前記他の方向において、赤色のカラーフィルター、緑色のカラーフィルター、および青色のカラーフィルターの順序で繰り返し配置されており、前記傾斜であって、当該順序の方向と逆方向の傾斜が大きいほど、平面視で緑色のカラーフィルターが赤色のカラーフィルターと重なり合う幅が大きい副画素を含む、
ことを特徴とする請求項１ないし請求項４のいずれか一に記載の電気光学装置。
【請求項６】
前記複数の副画素は、前記他の方向において、赤色のカラーフィルター、緑色のカラーフィルター、および青色のカラーフィルターの順序で繰り返し配置されており、前記傾斜であって、当該順序の方向と逆方向の傾斜が大きいほど、平面視で緑色のカラーフィルターが青色のカラーフィルターと重なり合う幅が小さい副画素を含む、
ことを特徴とする請求項１ないし請求項５のいずれか一に記載の電気光学装置。
【請求項７】
前記複数の副画素は、前記他の方向において、赤色のカラーフィルター、緑色のカラーフィルター、および青色のカラーフィルターの順序で繰り返し配置されており、前記傾斜であって、当該順序の方向とは逆方向の傾斜が大きいほど、平面視で赤色のカラーフィルターが青色のカラーフィルターと重なり合う幅が小さい副画素を含む、
ことを特徴とする請求項１ないし請求項６のいずれか一に記載の電気光学装置。
【請求項８】
前記複数の副画素は、前記他の方向において、赤色のカラーフィルター、緑色のカラーフィルター、および青色のカラーフィルターの順序で繰り返し配置されており、前記傾斜であって、当該順序の方向とは逆方向の傾斜が大きいほど、平面視で赤色のカラーフィルターが緑色のカラーフィルターと重なり合う幅が大きい副画素を含む、
ことを特徴とする請求項１ないし請求項７のいずれか一に記載の電気光学装置。
【請求項９】
前記複数の副画素は、前記他の方向において、赤色のカラーフィルター、緑色のカラーフィルター、および青色のカラーフィルターの順序で繰り返し配置されており、前記傾斜であって、当該順序の方向の傾斜が大きいほど、平面視で青色のカラーフィルターが緑色のカラーフィルターと重なり合う幅が大きい副画素を含む、
ことを特徴とする請求項１ないし請求項８のいずれか一に記載の電気光学装置。
【請求項１０】
前記複数の副画素は、前記他の方向において、赤色のカラーフィルター、緑色のカラーフィルター、および青色のカラーフィルターの順序で繰り返し配置されており、前記傾斜であって、当該順序の方向とは逆方向の傾斜が大きいほど、平面視で青色のカラーフィルターが赤色のカラーフィルターと重なり合う幅が小さい副画素を含む、
ことを特徴とする請求項１ないし請求項９のいずれか一に記載の電気光学装置。
【請求項１１】
請求項１から請求項５のいずれかの電気発光装置を具備する電子機器。
【発明の詳細な説明】
【技術分野】
【０００１】
本発明は、電気光学装置、および電子機器の技術分野に関する。
【背景技術】
【０００２】
近年、ヘッドマウントディスプレイのように虚像の形成を可能にする電子機器として、発光素子としてＯＬＥＤ（Ｏｒｇａｎｉｃ  Ｌｉｇｈｔ  Ｅｍｉｔｔｉｎｇ  Ｄｉｏｄｅ）を用いた電気光学装置からの映像光を観察者の瞳に導くタイプのヘッドマウントディスプレイが提案されている。例えば、特許文献１に記載されたヘッドマウントディスプレイでは、映像光と外界光とを重畳させるシースルー光学系が採用されている。
【０００３】
このようなヘッドマウントディスプレイにおいてカラーの映像光を表示させるためには、例えば、特許文献２に記載されたようなカラーフィルターを備えたディスプレイパネルが用いられる。特許文献２においては、カラーフィルターがディスプレイパネルの発光位置の直上となるように配置されている。そのため、ディスプレイパネルの視野角特性は、ディスプレイパネルの表示面に対する垂直方向を中心として確保される。これは、ディスプレイパネルを正面から見た使用方法が前提となっているためである。
【先行技術文献】
【特許文献】
【０００４】
【特許文献１】特開２００９−１４５６２０号公報
【特許文献２】特開２００１−１２６８６４号公報
【発明の概要】
【発明が解決しようとする課題】
【０００５】
特許文献２のようなディスプレイパネルをヘッドマウントディスプレイに用い、かつ、ヘッドマウントディスプレイを小型化するためには、ディスプレイパネルを小型化する必要がある。しかし、ディスプレイパネルを小型化した場合には、表示領域における外側に位置する画素ほど、視野角を大きくする必要がある。しかし、従来のディスプレイパネルにおいては、カラーフィルターが発光位置の直上に配置されているため、視野角を大きくすることには限界があった。その結果、良好な視野角特性を確保することが困難であった。
【０００６】
本発明は、上記課題に鑑みてなされたものであり、ディスプレイパネルを小型化した場合でも、視野角特性を向上させることのできる電気光学装置、および該電気光学装置を備えた電子機器を提供することを課題とする。
【課題を解決するための手段】
【０００７】
上記課題を解決するために本発明の電気光学装置の一態様は、表示領域の第１の方向および前記第１の方向と交差した方向である第２の方向に配列された複数の副画素を備える電気光学装置であって、前記複数の副画素の各々は、発光素子と、カラーフィルターと、を備え、前記複数の副画素は、互いに異なる色のカラーフィルターを備えた副画素を含み、該カラーフィルターに対応して表示色が異なり、前記複数の副画素は、前記複数の副画素に含まれる発光素子の光軸が、各々の副画素の位置に応じて、各々の発光素子の発光面の法線に対して前記表示領域の中心側に傾斜した発光素子を含み、前記複数の副画素に含まれる発光素子の光軸が傾斜する範囲は、前記第１の方向と前記第２の方向とで異なり、前記複数の副画素は、前記第１の方向および前記第２の方向のうち、前記複数の副画素に含まれる発光素子の光軸が傾斜する範囲が大きい方向には同色の前記カラーフィルターが並び、他の方向には互いに異なる色の前記カラーフィルターが並ぶように配置されている、ことを特徴とする。
【０００８】
この態様によれば、電気光学装置は、表示領域の第１の方向および前記第１の方向と交差した方向である第２の方向、例えば行方向および列方向に配列された複数の副画素を備える。複数の副画素の各々の発光素子は、発光素子の光軸が、各々の副画素の位置に応じて、発光素子の発光面の法線に対して表示領域の中心側に傾斜した発光素子を含む。例えば、ある行における表示領域の中心から見て当該行の外側に位置する副画素の発光素子は、光軸が表示領域の中心側に傾斜している。また、例えば、ある列における表示領域の中心から見て当該列の外側に位置する副画素の発光素子は、光軸が表示領域の中心側に傾斜している。複数の副画素に含まれる発光素子の光軸が傾斜する範囲は、例えば行方向と列方向とで異なる。複数の副画素は、これらの方向のうち、前記傾斜の範囲が大きい方向には同色のカラーフィルターが並ぶように配置される。当該方向における表示領域の中心から、当該方向における外側に位置する副画素の発光素子の光軸が大きく傾斜していたとしても、当該方向には同色のカラーフィルターが並ぶように配置されている。したがって、傾斜した光線が他の色のカラーフィルターから影響を受けることがなく、視野角特性が向上する。
【０００９】
上述した電気光学装置の一態様において、前記複数の副画素は、前記複数の副画素に含まれる前記カラーフィルターの前記他の方向における中心位置が、前記発光素子の発光面の前記他の方向における中心位置に対してずれている副画素を含むようにしてもよい。この態様によれば、前記他の方向においては、互いに異なる色のカラーフィルターが並ぶように配置されているが、カラーフィルターが光軸の傾斜に対応して前記他の方向における表示領域の中心側にずれているので、傾斜した光線に対応して各色のカラーフィルターの影響を調整することが可能となり、視野角特性が向上する。
【００１０】
上述した電気光学装置の一態様において、前記複数の副画素は、前記他の方向において隣り合うカラーフィルターと平面視で重なり合うように配置され、平面視で重なり合う幅は、前記他の方向における前記副画素の位置に応じて異なる副画素を含むようにしてもよい。この態様によれば、前記他の方向においては、異なる色のカラーフィルターが、平面視で重なり合うように配置されている。したがって、傾斜した光線に対する各色のカラーフィルターの影響の程度をカラーフィルターの重なり合いの程度により調整することが可能となる。その結果、視野角特性が向上する。
【００１１】
上述した電気光学装置の一態様において、前記複数の副画素は、前記他の方向において、赤色のカラーフィルター、緑色のカラーフィルター、および青色のカラーフィルターの順序で繰り返し配置されており、前記傾斜であって、当該順序の方向の傾斜が大きいほど、平面視で緑色のカラーフィルターと赤色のカラーフィルターとの重なり合う幅が小さい副画素を含んでもよい。この態様によれば、光軸の傾斜であって、前記順序の方向の傾斜が大きいほど、赤色の光線は短波長側にシフトする。しかし、緑色のカラーフィルターとして機能する幅が狭くなるので、緑色の光線の光量が抑えられる。その結果、色度の偏りが抑えられ、視野角特性が向上する。
【００１２】
上述した電気光学装置の一態様において、前記複数の副画素は、前記他の方向において、赤色のカラーフィルター、緑色のカラーフィルター、および青色のカラーフィルターの順序で繰り返し配置されており、前記傾斜であって、当該順序と逆方向の傾斜が大きいほど、平面視で緑色のカラーフィルターと赤色のカラーフィルターとの重なり合う幅が大きい副画素を含んでもよい。この態様によれば、光軸の傾斜であって、前記順序の方向と逆方向の傾斜が大きいほど、緑色の光線は短波長側にシフトする。しかし、緑色のカラーフィルターとして機能する幅が広くなるので、緑色の光線の光量が増加する。その結果、色度の偏りが抑えられ、視野角特性が向上する。
【００１３】
上述した電気光学装置の一態様において、前記複数の副画素は、前記カラーフィルターは、前記他の方向において、赤色のカラーフィルター、緑色のカラーフィルター、および青色のカラーフィルターの順序で繰り返し配置されており、前記傾斜であって、当該順序の方向と逆方向の傾斜が大きいほど、平面視で緑色のカラーフィルターが青色のカラーフィルターと重なり合う幅が小さい副画素を含んでもよい。この態様によれば、光軸の傾斜であって、前記順序の方向と逆方向の傾斜が大きいほど、青色の光線は短波長側にシフトする。しかし、青色のカラーフィルターとして機能する幅が広くなるので、青色の光線の光量が増加する。その結果、色度の偏りが抑えられ、視野角特性が向上する。
【００１４】
上述した電気光学装置の一態様において、前記複数の副画素は、前記他の方向において、赤色のカラーフィルター、緑色のカラーフィルター、および青色のカラーフィルターの順序で繰り返し配置されており、前記傾斜であって、当該順序の方向とは逆方向の傾斜が大きいほど、平面視で赤色のカラーフィルターが青色のカラーフィルターと重なり合う幅が小さい副画素を含んでもよい。この態様によれば、光軸の傾斜であって、前記順序の方向と逆方向の傾斜が大きいほど、青色の光線は短波長側にシフトする。しかし、赤色のカラーフィルターと重なる青色のカラーフィルターとして機能する幅が広くなるので、青色の光線の光量が増加する。その結果、色度の偏りが抑えられ、視野角特性が向上する。
【００１５】
上述した電気光学装置の一態様において、前記複数の副画素は、前記他の方向において、赤色のカラーフィルター、緑色のカラーフィルター、および青色のカラーフィルターの順序で繰り返し配置されており、前記傾斜であって、当該順序の方向とは逆方向の傾斜が大きいほど、平面視で赤色のカラーフィルターが緑色のカラーフィルターと重なり合う幅が大きい副画素を含んでいてもよい。この態様によれば、光軸の傾斜であって、前記順序の方向と逆方向の傾斜が大きいほど、青色の光線は短波長側にシフトする。しかし、緑色のカラーフィルターと重なる青色のカラーフィルターとして機能する幅が広くなるので、青色の光線の光量が増加する。その結果、色度の偏りが抑えられ、視野角特性が向上する。
【００１６】
上述した電気光学装置の一態様において、前記複数の副画素は、前記カラーフィルターは、前記他の方向において、赤色のカラーフィルター、緑色のカラーフィルター、および青色のカラーフィルターの順序で繰り返し配置されており、前記傾斜であって、当該順序の方向の傾斜が大きいほど、平面視で青色のカラーフィルターが緑色のカラーフィルターと重なり合う幅が大きい副画素を含んでいてもよい。この態様によれば、光軸の傾斜であって、前記順序の方向の傾斜が大きいほど、青色の光線は短波長側にシフトする。しかし、緑色のカラーフィルターと重なる青色のカラーフィルターとして機能する幅が広くなるので、青色の光線の光量が増加する。その結果、色度の偏りが抑えられ、視野角特性が向上する。
【００１７】
上述した電気光学装置の一態様において、前記複数の副画素は、前記他の方向において、赤色のカラーフィルター、緑色のカラーフィルター、および青色のカラーフィルターの順序で繰り返し配置されており、前記傾斜であって、当該順序の方向とは逆方向の傾斜が大きいほど、平面視で青色のカラーフィルターが赤色のカラーフィルターと重なり合う幅が小さい副画素を含んでいてもよい。この態様によれば、光軸の傾斜であって、前記順序の方向の傾斜が大きいほど、赤色の光線の取り出し効率が低下する。しかし、青色のカラーフィルターと重なる赤色のカラーフィルターとして機能する幅が広くなるので、赤色の光線の光量が増加する。その結果、色度の偏りが抑えられ、視野角特性が向上する。
【００１８】
上述した電気光学装置の一態様において、前記複数の副画素は、前記他の方向において、赤色のカラーフィルター、緑色のカラーフィルター、および青色のカラーフィルターの順序で繰り返し配置されており、前記傾斜が大きいほど、平面視で赤色の副画素上における赤色のカラーフィルターと他の色のカラーフィルターとの前記重なり合う幅が小さい副画素を含んでいてもよい。この態様によれば、光軸の傾斜が大きいほど、赤色の光線は短波長側にシフトする場合であっても、赤色のカラーフィルターとしての機能する幅が広くなるので、赤色の光線の光量が増大する。その結果、色度の偏りが抑えられ、視野角特性が向上する。
【００１９】
次に、本発明に係る電子機器は、上述した本発明に係る電気光学装置を備える。そのような電子機器は、ＯＬＥＤ等の発光素子を備えた電気光学装置により、視野角特性に優れた画像品質の高い電子機器が提供される。
【図面の簡単な説明】
【００２０】
【図１】本発明の一実施形態に係る電子機器の概要を説明する図である。
【図２】本発明の一実施形態に係る電子機器の内部構造を説明する図である。
【図３】本発明の一実施形態に係る電子機器の光学系を説明する図である。
【図４】本発明の一実施形態に係る電気光学装置の表示領域における副画素の配置を説明する図である。
【図５】図４のＡ−Ａ’線断面図である。
【図６】表示領域の列方向（Ｙ方向）における主光線の傾斜角度を説明する図である。
【図７】表示領域の行方向（Ｘ方向）における主光線の傾斜角度を説明する図である。
【図８】表示領域の列方向（Ｙ方向）における各副画素と各カラーフィルターの位置関係を説明する図である。
【図９】表示領域の行方向（Ｘ方向）における赤色の副画素と赤色カラーフィルターの位置関係を説明する図である。
【図１０】比較例におけるカラーフィルターの重なり合いを説明する図である。
【図１１】本発明の一実施形態におけるカラーフィルターの重なり合いを説明する図である。
【図１２】本発明の一実施形態におけるカラーフィルターの重なり合いの幅の一例を示す図である。
【図１３】本発明の一実施形態におけるカラーフィルターの重なり合いの幅の一例を示す図である。
【図１４】赤色の副画素における発光素子の内部発光する光のスペクトルと、共振構造による各波長に対する効率と、内部発光した光が共振構造により影響を受けて最終的に赤色の副画素から照射される光のスペクトルの関係を示す図である。
【図１５】赤色の副画素における光線と傾斜と波長の関係を示す図である。
【図１６】各色の副画素から照射される光のスペクトルを示す図である。
【図１７】各色のカラーフィルターの透過率を示す図である。
【図１８】各副画素から照射される光のスペクトルと、画素全体として照射される光のスペクトルとを示す図である。
【図１９】比較例の表示領域の上部における主光線と、主光線からマイナス１０度傾斜した光と、主光線からプラス１０度傾斜した光とのスペクトルを比較した図である。
【図２０】比較例の表示領域の中央部における主光線と、主光線からマイナス１０度傾斜した光と、主光線からプラス１０度傾斜した光とのスペクトルを比較した図である。
【図２１】比較例の表示領域の下部における主光線と、主光線からマイナス１０度傾斜した光と、主光線からプラス１０度傾斜した光とのスペクトルを比較した図である。
【図２２】比較例の表示領域の上部における主光線と、主光線からマイナス１０度傾斜した光と、主光線からプラス１０度傾斜した光との色度を示す色度図である。
【図２３】比較例の表示領域の中央部における主光線と、主光線からマイナス１０度傾斜した光と、主光線からプラス１０度傾斜した光との色度を示す色度図である。
【図２４】比較例の表示領域の下部における主光線と、主光線からマイナス１０度傾斜した光と、主光線からプラス１０度傾斜した光との色度を示す色度図である。
【図２５】本発明の一実施形態の表示領域の上部における主光線と、主光線からマイナス１０度傾斜した光と、主光線からプラス１０度傾斜した光とのスペクトルを比較した図である。
【図２６】本発明の一実施形態の表示領域の中央部における主光線と、主光線からマイナス１０度傾斜した光と、主光線からプラス１０度傾斜した光とのスペクトルを比較した図である。
【図２７】本発明の一実施形態の表示領域の下部における主光線と、主光線からマイナス１０度傾斜した光と、主光線からプラス１０度傾斜した光とのスペクトルを比較した図である。
【図２８】本発明の一実施形態の表示領域の上部における主光線と、主光線からマイナス１０度傾斜した光と、主光線からプラス１０度傾斜した光との色度を示す色度図である。
【図２９】本発明の一実施形態の表示領域の中央部における主光線と、主光線からマイナス１０度傾斜した光と、主光線からプラス１０度傾斜した光との色度を示す色度図である。
【図３０】本発明の一実施形態の表示領域の下部における主光線と、主光線からマイナス１０度傾斜した光と、主光線からプラス１０度傾斜した光との色度を示す色度図である。
【図３１】本発明の一実施形態の表示領域の行方向における主光線と、主光線からマイナス２０度傾斜した光と、主光線からプラス２０度傾斜した光とのスペクトルを比較した図である。
【図３２】本発明の一実施形態の表示領域の行方向における主光線と、主光線からマイナス２０度傾斜した光と、主光線からプラス２０度傾斜した光との色度を示す色度図である。
【図３３】電子機器の例を示す説明図である。
【図３４】電子機器の他の例を示す説明図である。
【図３５】電子機器の他の例を示す説明図である。
【発明を実施するための形態】
【００２１】
図１は、本実施形態に係る電子機器の概要を説明する図である。まず、図１を参照して電子機器の概要を説明する。
【００２２】
ヘッドマウントディスプレイ１００は、本実施形態に係る電子機器の一例である。図１に示すように、ヘッドマウントディスプレイ１００は、眼鏡のような外観を有している。このヘッドマウントディスプレイ１００を装着した使用者に対して、画像となる映像光を視認させると共に、使用者に外界光をシースルーで視認させている。ヘッドマウントディスプレイ１００は、外界光と映像光とを重ねて表示させるシースルー機能を持ち、広画角・高性能でありながら、小型軽量となっている。
【００２３】
ヘッドマウントディスプレイ１００は、使用者の眼前を覆う透視部材１０１と、透視部材１０１を支持するフレーム１０２と、フレーム１０２の左右両端のカバー部から後方のつる部分（テンプル）にかけての部分に付加された第１内蔵装置部１０５ａと第２内蔵装置部１０５ｂとを備えている。透視部材１０１は、使用者の眼前を覆う肉厚で湾曲した光学部材（透過アイカバー）であり、第１光学部分１０３ａと第２光学部分１０３ｂとに分かれている。図１で左側の第１光学部分１０３ａと第１内蔵装置部１０５ａとを組み合わせた第１表示器機１５１は、シースルーにて右眼用の虚像を表示する部分であり、単独でも表示機能の付いた電子機器として機能する。また、図１で右側の第２光学部分１０３ｂと第２内蔵装置部１０５ｂとを組み合わせた第２表示器機１５２は、シースルーにて左眼用の虚像を形成する部分であり、単独でも表示機能の付いた電子機器として機能する。
【００２４】
図２は、本実施形態に係る電子機器の内部構造を説明する図である。図３は、本実施形態に係る電子機器の光学系を説明する図である。次に、図２と図３とを参照して電子機器の内部構造と光学系とを説明する。なお、図２と図３とでは第１表示器機１５１を電子機器の例として説明しているが、第２表示器機１５２に対しても左右対称で殆ど同じ構造をなしている。
【００２５】
図２に示すように、第１表示器機１５１は、投射透視装置７０と、鏡筒６２の一端に取り付けられる電気光学装置８０（図３参照）とを備えている。なお、図２においては電気光学装置８０の図示を省略している。投射透視装置７０は、導光部材であるプリズム１０と、光透過部材５０と、図３に示す結像用の投射レンズ３０（図３参照）とを備える。図２においては投射レンズ３０の図示を省略している。プリズム１０と光透過部材５０とは接合によって一体化され、例えばプリズム１０の上面１０ｅとフレーム６１の下面６１ｅとが接するようにフレーム６１の下側にしっかりと固定されている。図３に示す投射レンズ３０は、鏡筒６２に収納され、鏡筒６２を介してプリズム１０の端部に取り付けられている。投射透視装置７０のうちプリズム１０と光透過部材５０とは、図１における第１光学部分１０３ａに相当し、投射透視装置７０の投射レンズ３０と、電気光学装置８０とは、図１における第１内蔵装置部１０５ａに相当する。
【００２６】
投射透視装置７０のうち、プリズム１０は、平面視において顔面に沿うように湾曲した円弧状の部材であり、鼻に近い中央側の第１プリズム部分１１と、鼻から離れた周辺側の第２プリズム部分１２とに分けて考えることができる。第１プリズム部分１１は、光出射側に配置され、光学的な機能を有する側面として、図３に示す第１面Ｓ１１と、第２面Ｓ１２と、第３面Ｓ１３とを有する。第２プリズム部分１２は、光入射側に配置され、光学的な機能を有する側面として、図３に示す第４面Ｓ１４と、第５面Ｓ１５と、を有する。このうち、第１面Ｓ１１と第４面Ｓ１４とが隣接し、第３面Ｓ１３と第５面Ｓ１５とが隣接し、第１面Ｓ１１と第３面Ｓ１３との間に第２面Ｓ１２が配置されている。また、プリズム１０は、第１面Ｓ１１から第４面Ｓ１４に隣接する上面１０ｅを有する。
【００２７】
プリズム１０は、可視域で高い光透過性を示す樹脂材料で形成されており、例えば型内に熱可塑性樹脂を注入・固化させることにより、成形する。図３に示すプリズム１０の本体部分１０ｓは、一体形成品とされているが、第１プリズム部分１１と第２プリズム部分１２とに分けて考えることができる。第１プリズム部分１１は、映像光の導波及び出射を可能にすると共に、外界光の透視を可能にする。第２プリズム部分１２は、映像光の入射及び導波を可能にする。
【００２８】
光透過部材５０は、プリズム１０と一体的に取り付けられている。光透過部材５０は、プリズム１０の透視機能を補助する部材（補助プリズム）である。光透過部材５０は、可視域で高い光透過性を示し、図３に示すプリズム１０の本体部分１０ｓと略同一の屈折率を有する樹脂材料で形成されている。光透過部材５０は、例えば熱可塑性樹脂の成形によって形成される。
【００２９】
図３に示すように、投射レンズ３０は、入射側光軸に沿って例えば３つのレンズ３１，３２，３３を有している。各レンズ３１，３２，３３は、レンズの光入射面の中心軸に回転対称なレンズであり、少なくとも１つ以上が非球面レンズとなっている。投射レンズ３０は、電気光学装置８０から出射された映像光ＧＬをプリズム１０内に入射させて眼ＥＹに再結像させる。投射レンズ３０は、電気光学装置８０の各画素から出射された映像光ＧＬをプリズム１０を介して眼ＥＹに再結像させるためのリレー光学系である。投射レンズ３０は、図２に示す鏡筒６２内に保持され、電気光学装置８０は、図２に示す鏡筒６２の一端に取り付けられている。プリズム１０の第２プリズム部分１２は、投射レンズ３０を保持する鏡筒６２に連結され、投射レンズ３０および電気光学装置８０を間接的に支持している。
【００３０】
図４は、電気光学装置８０の表示領域における副画素の配置を説明する図である。図５は、図４のＡ−Ａ’線断面図である。図４に示すように、電気光学装置８０には画素８２０がＭ行Ｎ列の行列状に配置されている。ＭとＮとは２以上の整数で、本実施形態では一例として、Ｍ＝７２０、Ｎ＝１２８０とされている。各画素８２０は３個の副画素８２５を含む。副画素８２５は、赤色の副画素８２５Ｒ、緑色の副画素８２５Ｇ、および青色の副画素８２５Ｂを含む。各副画素８２５は、図５に示すように発光素子８３０と発光素子８３０から出射された光が通過するカラーフィルター８４０とを備えている。カラーフィルター８４０は、赤色カラーフィルター８４０Ｒと、緑色カラーフィルター８４０Ｇと、青色カラーフィルター８４０Ｂとを含む。
【００３１】
発光素子８３０は白色光を放ち、本実施形態では一例として有機ＥＬ素子が用いられている。発光素子８３０としては、この他にＬＥＤ素子や半導体レーザー素子などを使用することができる。赤色の副画素８２５Ｒ、緑色の副画素８２５Ｇ、および青色の副画素８２５Ｂは、それぞれ、赤色カラーフィルター８４０Ｒ、緑色カラーフィルター８４０Ｇ、および青色カラーフィルター８４０Ｂを備える。赤色カラーフィルター８４０Ｒ、緑色カラーフィルター８４０Ｇ、および青色カラーフィルター８４０Ｂは、対応する発光素子８３０からの光を、赤色光、緑色光、および青色光へと変換して、映像光ＧＬとしている。
【００３２】
図５に示すように、電気光学装置８０は、基板本体２１５、素子基板２１６、バンク２１７、画素電極２１０、有機発光層２１１、共通電極２１２、保護層２１３、画素電極２１０の間に位置する分離部２１８と、を備える。分離部２１８は、平面視にて画素電極２１０の間（副画素８２５Ｒ，８２５Ｇ，８２５Ｂの間）に位置し、画素電極２１０の間を分離する領域を示す。基板本体２１５上には、図示を省略する複数のトランジスターが形成される。
【００３３】
バンク２１７は、色の異なる赤色カラーフィルター８４０Ｒ、緑色カラーフィルター８４０Ｇ、および青色カラーフィルター８４０Ｂを横切る方向（図４における列方向（Ｙ方向））と、同色のカラーフィルター８４０を横切る方向（図４における行方向（Ｘ方向））とに格子状に配置されている。本実施形態においては、バンク２１７は、二酸化珪素等の透明の材料から形成されるが、感光性樹脂等の有機材料から形成されてもよい。
【００３４】
画素電極２１０は、例えばＩＴＯ（Ｉｎｄｉｕｍ  Ｔｉｎ  Ｏｘｉｄｅ）等の光透過性の導電材料で形成される。また、共通電極２１２は、表面に到達した光の一部を透過するとともに残りを反射する性質（半透過反射性）の半透過反射層として機能する。例えば、銀やマグネシウムを含有する合金等の光反射性の導電材料を充分に薄い膜厚に形成することで半透過反射性の共通電極２１２が形成される。なお、図示を省略するが、画素電極２１０の下層には、反射層が形成される。画素電極２１０と共通電極２１２に挟まれる有機発光層２１１に対して、画素電極２１０と共通電極２１２より電流が供給され、有機発光層２１１から光が放射される。有機発光層２１１からの放射光は、反射層と共通電極２１２との間で往復し、特定の共振波長の成分が選択的に増幅されたうえで共通電極２１２を透過して観察側（基板本体２１５とは反対側）に出射する。すなわち、反射層と半透過反射層として機能する共通電極２１２との間で有機発光層からの出射光を共振させる共振構造が形成される。図示を省略するが、基板本体２１５と画素電極２１０との間には、光路調整層が形成されており、共振構造の共振波長（表示色）を副画素８２５の表示色毎に個別に設定するための要素として機能する。具体的には、共振構造を構成する反射層と共通電極２１２との間の光路長（光学的距離）を光路調整層の膜厚に応じて適宜に調整することで各副画素８２５の出射光の共振波長が表示色毎に設定される。
【００３５】
以上のような電気光学装置８０は、図１に示すヘッドマウントディスプレイ１００に用いるために、小型化が図られている。その結果、図４に示す表示領域８１０の外側に位置する画素８２０ほど、視野角を大きくする必要がある。視野角を大きくためには、表示領域８１０の外側に位置する副画素８２５ほど、主光線を傾斜させることが行われている。一般に、主光線の傾斜の範囲、つまり、副画素８２５の発光面の法線に対する一方向における主光線の傾斜角度の最大値から、他方向における主光線の傾斜角度の最大値までの範囲は、表示領域の行方向と列方向とで異なっている。
【００３６】
図６は、表示領域８１０の列方向（Ｙ方向）における主光線の傾斜角度を説明する図である。図７は、表示領域８１０の行方向（ＸＹ方向）における主光線の傾斜角度を説明する図である。図６および図７から理解される通り、本実施形態においては、主光線の傾斜の範囲は、光学系の特性により、表示領域８１０の列方向（Ｙ方向）よりも行方向（Ｘ方向）で大きくなるように構成されている。本実施形態では、図６に示すように、表示領域８１０の上部においては、副画素８２５の主光線は、表示領域８１０の法線に対して、表示領域８１０の中央部側に１０度傾斜している。また、表示領域８１０の下部においても、副画素８２５の主光線は、表示領域８１０の法線に対して、表示領域８１０の中央部側に１０度傾斜している。表示領域８１０の中央部においては、副画素８２５の主光線は、表示領域８１０の法線に沿っている。表示領域８１０のそれぞれの位置において、副画素８２５からの照射光は、主光線に対して±１０度の広がりを有している。なお、図６においては、表示領域８１０の上部側を角度のプラス側とし、表示領域８１０の下部側を角度のマイナス側としている。つまり、赤色カラーフィルター８０４Ｒ、緑色カラーフィルター８０４Ｇ、および青色カラーフィルター８０４Ｂが列方向（Ｙ方向）に並ぶ順序の方向が前記プラス方向できり、この順序とは逆の方向がマイナス方向となる。
【００３７】
図７に示すように、表示領域８１０の右側においては、副画素８２５の主光線は、表示領域８１０の法線に対して、表示領域８１０の中央部側に１０度傾斜している。また、表示領域８１０の左側においても、副画素８２５の主光線は、表示領域８１０の法線に対して、表示領域８１０の中央部側に２０度傾斜している。表示領域８１０の中央部においては、副画素８２５の主光線は、表示領域８１０の法線に沿っている。表示領域８１０のそれぞれの位置において、副画素８２５からの照射光は、主光線に対して±２０度の広がりを有している。なお、図７においては、表示領域８１０の左側を角度のプラス側とし、表示領域８１０の右側を角度のマイナス側としている。
【００３８】
ヘッドマウントディスプレイ１００において、良好な画像を視認させるためには、特に、眼ＥＹが並ぶ横方向である水平方向（図中Ｘ方向、列方向）について一定以上の輝度をある程度の角度範囲において確保することが重要となる。横方向は、これに垂直な縦方向（図中Ｙ方向、列方向）に比べて眼が良く動く方向であり、また、両眼視が可能である場合には、横方向の眼幅に個人差があるため、ある程度のマージンを要するからである。そこで、本実施形態においては、表示領域８１０の列方向（Ｙ方向）よりも行方向（Ｘ方向）で主光線の傾斜の範囲が大きくなるように構成されている。
【００３９】
また、本実施形態では、図４に示すように、各カラーフィルター８４０は、画素８２０ごとに行方向（Ｘ方向）に延在して設けられており、行方向（Ｘ方向）には同色のカラーフィルター８４０が並ぶように配置される。また、列方向（Ｙ方向）には、赤色カラーフィルター８４０Ｒ、緑色カラーフィルター８４０Ｇ、および青色カラーフィルター８４０Ｂが、この順序で繰り返し並ぶように配置されている。
【００４０】
本実施形態では、このように、主光線の傾斜の範囲が列方向（Ｙ方向）よりも行方向（Ｘ方向）において大きくなっているため、行方向（Ｘ方向）には同色のカラーフィルター８４０が並ぶように配置している。行方向（Ｘ方向）における表示領域８１０の中心から、行方向（Ｘ方向）における外側に位置する副画素８２５の発光素子８３０の主光線の光軸が、表示領域８１０の中心側に大きく傾斜していたとしても、行方向（Ｘ方向）には同色のカラーフィルター８４０が並ぶように配置されている。したがって、行方向（Ｘ方向）においては、ある色のカラーフィルター８４０を備える副画素８２５から照射される光は、他の色のカラーフィルター８４０からの影響を受けることがない。その結果、電気光学装置８０を見る角度によって輝度や色度に変化が生じ難くなっている。このように、本実施形態においては、主光線の傾斜の範囲が大きい行方向（Ｘ方向）に、カラーフィルター８４０を延在して設け、行方向（Ｘ方向）には同色のカラーフィルター８４０が並ぶように配置した。その結果、行方向（Ｘ方向）における視野角特性を向上させることができる。
【００４１】
次に、各副画素８２５と各カラーフィルター８４０の位置関係について説明する。図８は、表示領域８１０の列方向（Ｙ方向）における各副画素８２５と各カラーフィルター８４０の位置関係を説明する図である。図９は、表示領域８１０の行方向（Ｘ方向）における赤色の副画素８２５と赤色カラーフィルター８４０Ｒの位置関係を説明する図である。
【００４２】
図８に示すように、表示領域８１０の列方向（Ｙ方向）においては、表示領域８１０の上部（Ｕ）のカラーフィルター８４０の中心位置は、各副画素８２５の中心位置に対してずれている。また、表示領域８１０の下部（Ｌ）のカラーフィルター８４０の中心位置についても、各副画素８２５の中心位置に対してずれている。表示領域８１０の中央部（Ｃ）のカラーフィルター８４０の中心位置は、各副画素８２５の中心位置と一致している。
【００４３】
表示領域８１０の上部（Ｕ）においては、赤色カラーフィルター８４０Ｒの列方向（Ｙ方向）における中心位置ＣＲ２は、赤色の副画素８２５Ｒの列方向（Ｙ方向）における中心位置ＣＲ１に対して、表示領域８１０の中央部側にずれている。赤色カラーフィルター８４０Ｒの列方向（Ｙ方向）における幅ＷＲｙは、列方向（Ｙ方向）に隣り合う他の色のカラーフィルター８４０と平面視において重なり合う幅を有している。緑色カラーフィルター８４０Ｇの列方向（Ｙ方向）における中心位置ＣＧ２は、緑色の副画素８２５Ｇの列方向（Ｙ方向）における中心位置ＣＧ１に対して、表示領域８１０の中央部側にずれている。緑色カラーフィルター８４０Ｇの列方向（Ｙ方向）における幅ＷＧｙは、列方向（Ｙ方向）に隣り合う他の色のカラーフィルター８４０と平面視において重なり合う幅を有している。青色カラーフィルター８４０Ｂの列方向（Ｙ方向）における中心位置ＣＢ２は、青色の副画素８２５Ｂの列方向（Ｙ方向）における中心位置ＣＢ１に対して、表示領域８１０の中央部から離れる側にずれている。青色カラーフィルター８４０Ｇの列方向（Ｙ方向）における幅ＷＢｙは、列方向（Ｙ方向）に隣り合う他の色のカラーフィルター８４０と平面視において重なり合う幅を有している。
【００４４】
表示領域８１０の中央部（Ｃ）においては、赤色カラーフィルター８４０Ｒの列方向（Ｙ方向）における中心位置ＣＲ２と、赤色の副画素８２５Ｒの列方向（Ｙ方向）における中心位置ＣＲ１とは一致している。緑色カラーフィルター８４０Ｇの列方向（Ｙ方向）における中心位置ＣＧ２と、緑色の副画素８２５Ｇの列方向（Ｙ方向）における中心位置ＣＧ１とは一致している。青色カラーフィルター８４０Ｂの列方向（Ｙ方向）における中心位置ＣＢ２と、青色の副画素８２５Ｂの列方向（Ｙ方向）における中心位置ＣＢ１とは一致している。
【００４５】
表示領域８１０の下部（Ｌ）においては、赤色カラーフィルター８４０Ｒの列方向（Ｙ方向）における中心位置ＣＲ２は、赤色の副画素８２５Ｒの列方向（Ｙ方向）における中心位置ＣＲ１に対して、表示領域８１０の中央部から離れる側にずれている。赤色カラーフィルター８４０Ｒの列方向（Ｙ方向）における幅ＷＲｙは、列方向（Ｙ方向）に隣り合う他の色のカラーフィルター８４０と平面視において重なり合う幅を有している。緑色カラーフィルター８４０Ｇの列方向（Ｙ方向）における中心位置ＣＧ２は、緑色の副画素８２５Ｇの列方向（Ｙ方向）における中心位置ＣＧ１に対して、表示領域８１０の中央部から離れる側にずれている。緑色カラーフィルター８４０Ｇの列方向（Ｙ方向）における幅ＷＧｙは、列方向（Ｙ方向）に隣り合う他の色のカラーフィルター８４０と平面視において重なり合う幅を有している。青色カラーフィルター８４０Ｂの列方向（Ｙ方向）における中心位置ＣＢ２は、青色の副画素８２５Ｂの列方向（Ｙ方向）における中心位置ＣＢ１に対して、表示領域８１０の中央部側にずれている。青色カラーフィルター８４０Ｇの列方向（Ｙ方向）における幅ＷＢｙは、列方向（Ｙ方向）に隣り合う他の色のカラーフィルター８４０と平面視において重なり合う幅を有している。
【００４６】
本実施形態では、列方向（Ｙ方向）における副画素８２５の中心位置と、カラーフィルター８４０の中心位置のずれの量は、副画素の位置に応じて異なっている。図８においては、説明を簡単にするために、表示領域８１０を上部（Ｕ）と、中央部（Ｃ）と、下部（Ｌ）との３つの領域に分けているが、実際には列方向（Ｙ方向）さらに細かく領域が分割されており、それぞれの領域に応じて上記ずれの量を設定している。
【００４７】
このように副画素の位置に応じて列方向（Ｙ方向）における副画素８２５の中心位置と、カラーフィルター８４０の中心位置のずれの量を設定するのは、主光線の傾斜の角度が副画素の位置に応じて異なっているためである。図８に示すように、上部（Ｕ）における赤色の副画素８２５Ｒから照射された光は、赤色カラーフィルター８４０Ｒを通過するだけでなく、緑色カラーフィルター８４０Ｇをも通過する場合がある。また、本実施形態では、赤色カラーフィルター８４０Ｒと緑色カラーフィルター８４０Ｇとを分離するバンク２１７は、透明の材料で形成されている。したがって、赤色の副画素８２５Ｒから照射された光が、赤色カラーフィルター８４０Ｒと緑色カラーフィルター８４０Ｇとの両方を通過する場合がある。ある副画素８２５から照射された光が、どのカラーフィルター８４０からどれだけ影響を受けるかについては、主光線の傾斜の角度によっても変わることになる。そこで、本実施形態においは、副画素の位置に応じて、列方向（Ｙ方向）における副画素８２５の中心位置と、カラーフィルター８４０の中心位置のずれの量を調整し、電気光学装置８０を見る角度によって輝度や色度にできるだけ変化が生じないようにしている。つまり、本実施形態においては、列方向（Ｙ方向）における副画素８２５の中心位置と、カラーフィルター８４０の中心位置のずれの量を調整することにより、傾斜した光線に対応して各色のカラーフィルターの影響を調整することが可能となり、視野角特性を向上させることができる。なお、副画素８２５の中心位置と、カラーフィルター８４０の中心位置のずれの量は、カラーフィルター８４０の重なり合いの幅によっても変化する。カラーフィルター８４０の重なり合いの幅については後述する。
【００４８】
図９に示すように、表示領域８１０の行方向（Ｘ方向）においては、表示領域８１０の右側（ＲＴ）、中央部（Ｃ）、および左側（ＬＴ）のそれぞれにおいて、赤色カラーフィルター８４０Ｒの中心位置と、赤色の副画素８２５Ｒの中心位置は一致している。なお、図９には赤色の副画素８２５Ｒと赤色カラーフィルター８４０Ｒの位置関係を示したが、他の色の副画素８２５と他の色のカラーフィルター８４０についても中心位置は一致している。これは、行方向（Ｘ方向）においては、同色のカラーフィルター８４０が並ぶように配置されているためである。このように構成することにより、表示領域８１０の中心から、行方向（Ｘ方向）における外側に位置する副画素８２５の発光素子８３０の光軸が大きく傾斜していたとしても、傾斜した光線が他の色のカラーフィルター８４０から影響を受けることがなく、視野角特性を向上させることができる。
【００４９】
次に、本実施形態におけるカラーフィルター８４０の重なり合いの幅について説明する。図１０は、比較例におけるカラーフィルターの重なり合いを説明する図である。図１１は、本実施形態におけるカラーフィルターの重なり合いを説明する図である。図１０および図１１は、図８に示す表示領域８１０の上部（Ｕ）におけるカラーフィルターの列方向（Ｙ方向）における断面を示している。
【００５０】
図１０に示すように、表示領域８１０の上部（Ｕ）においては、副画素８２５の主光線ＰＲが、表示領域８１０の中央部（中心部）側に傾斜している。したがって、眼ＥＹの位置が、主光線ＰＲに対向する位置にある場合には、赤色の副画素８２５Ｒから照射された光は、赤色カラーフィルター８４０Ｒを通過する。また、赤色の副画素８２５Ｒから照射された光は、赤色カラーフィルター８４０Ｒと緑色カラーフィルター８４０Ｇとが重なり合う部分を通過することになる。しかし、眼ＥＹの位置が、主光線ＰＲから例えば１０度傾斜した副光線ＳＲに対向する位置にある場合には、赤色の副画素８２５Ｒから照射された光の一部は、赤色カラーフィルター８４０Ｒと緑色カラーフィルター８４０Ｇとが重なり合う部分を通過する。しかし、赤色の副画素８２５Ｒから照射された光の殆どは、緑色カラーフィルター８４０Ｇを通過する。特に、バンク２１７が透明の材料で形成されている場合には、赤色の副画素８２５Ｒから照射された光がバンク２１７を通過し、緑色カラーフィルター８４０Ｇを通過することになる。したがって、このような場合には、本来は赤色として取り出されるべき光が、緑色側にシフトしてしまうことになる。
【００５１】
また、上述したように、反射層と共通電極との光路長により出射光の共振波長が設定される場合には、副光線ＳＲが図１０のように副画素８２５Ｒの法線に対して傾斜していると、副画素８２５Ｒの内部での光路長が、前記法線に沿った光線に比べて長くなることになる。その結果、副画素８２５Ｒから照射される光は、本来の赤色よりも短波長側にシフトすることになる。
【００５２】
図１４は、赤色の副画素８２５Ｒにおいて、発光素子８３０の内部発光する光のスペクトルと、共振構造による各波長に対する効率と、内部発光した光が共振構造により影響を受けて最終的に赤色の副画素８２５Ｒから照射される光のスペクトルの関係を示している。図１４から理解されるように、共振構造によって、６００〜６２０ｎｍにピークを有する赤色光が得られる。
【００５３】
図１５は、赤色の副画素８２５Ｒにおける光線と傾斜と波長の関係を示す図である。図１５は、光線が法線に沿う方向である場合のスペクトルと、法線に対して表示領域の中央部側に１０度傾斜した場合のスペクトルと、法線に対して表示領域の中央部側に２０度傾斜した場合のスペクトルとを示している。図１５から理解されるように、傾斜が大きくなるにしたがって、副画素８２５Ｒから照射される光は短波長側にシフトすることがわかる。
【００５４】
図１６は、各色の副画素８２５から照射される光のスペクトルを示す図である。図１６から理解されるように、緑色の副画素８２５Ｇにおいては５１０〜５３０ｎｍにピークを有する緑色光が得られ、また、青色の副画素８２５Ｂにおいては４５０〜４８０ｎｍにピークを有する青色光が得られる。
【００５５】
図１７は各色のカラーフィルター８４０の透過率を示す図である。図１７から理解される通り、各色のカラーフィルター８４０は、図１６に示す各色の光のピークの波長を、高い透過率で透過させる性質を有する。
【００５６】
図１８は、各副画素から照射される光のスペクトルと、画素８２０全体として照射される光のスペクトルとを示す図である。図１８から理解される通り、図１６に示すように各副画素において適切なピークの波長が得られ、図１７に示すような適切な各色のカラーフィルターが使用された場合には、赤色光、緑色光、および青色光が適切に混色されることになり、適切な白色光が得られる。
したがって、図１０に示すように、主光線および副光線が、副画素の法線に対して傾斜する場合には、各副画素において照射される光がシフトし、適切な白色光が得られないことがわかる。
【００５７】
図１０に示す比較例における、表示領域８１０の上部（Ｕ）、中央部（Ｃ）、および下部（Ｌ）における照射光のシフトについて、図１９ないし図２４を参照しつつ説明する。図１０に示す比較例は、表示領域８１０の列方向（Ｙ方向）における副画素８２５の位置によらず一定にした例である。
図１９は比較例の表示領域８１０の上部（Ｕ）における主光線と、主光線からマイナス１０度傾斜した光と、主光線からプラス１０度傾斜した光とのスペクトルを比較した図である。図２０は比較例の表示領域８１０の中央部（Ｃ）における主光線と、主光線からマイナス１０度傾斜した光と、主光線からプラス１０度傾斜した光とのスペクトルを比較した図である。図２１は比較例の表示領域８１０の下部（Ｌ）における主光線と、主光線からマイナス１０度傾斜した光と、主光線からプラス１０度傾斜した光とのスペクトルを比較した図である。図２２は比較例の表示領域８１０の上部（Ｕ）における主光線と、主光線からマイナス１０度傾斜した光と、主光線からプラス１０度傾斜した光との色度を示す色度図である。図２３は比較例の表示領域８１０の中央部（Ｃ）における主光線と、主光線からマイナス１０度傾斜した光と、主光線からプラス１０度傾斜した光との色度を示す色度図である。図２４は比較例の表示領域８１０の下部（Ｌ）における主光線と、主光線からマイナス１０度傾斜した光と、主光線からプラス１０度傾斜した光との色度を示す色度図である。
【００５８】
図１９から理解される通り、表示領域８１０の上部（Ｕ）においては、主光線については、各副画素８２５における照射光のピーク波長は適切であり、図２２から理解される通り、画素８２０の全体としての照射光は、白色となる。
【００５９】
図１９から理解される通り、表示領域８１０の上部（Ｕ）においては、主光線からマイナス１０度傾斜すると、各副画素８２５における照射光のピーク波長のシフトは大きくないものの、赤色の副画素８２５Ｒにおける照射光の取り出し効率が低下する。また、緑色の副画素８２５Ｇにおける照射光の取り出し効率が低下する。しかし、青色の副画素８２５Ｂにおける照射光の取り出し効率については低下の度合いが少ない。その結果、図２２から理解される通り、画素８２０の全体としての照射光は、赤色成分と緑色成分が減少し、紫色側に若干シフトする。
【００６０】
図１９から理解される通り、表示領域８１０の上部（Ｕ）においては、主光線からプラス１０度傾斜すると、緑色の副画素８２５Ｇにおける照射光のピーク波長が短波長側にシフトする。また、赤色の副画素８２５Ｒと青色の副画素８２５Ｂにおける照射光の取り出し効率が低下する。その結果、図２２から理解される通り、画素８２０の全体としての照射光は、赤色成分が減少し、青色側にシフトする。
【００６１】
図２０から理解される通り、表示領域８１０の中央部（Ｃ）においては、主光線については、各副画素８２５における照射光のピーク波長は適切であり、図２３から理解される通り、画素８２０の全体としての照射光は、白色となる。
【００６２】
図２０から理解される通り、表示領域８１０の中央部（Ｃ）においては、主光線からマイナス１０度傾斜すると、各副画素８２５における照射光のピーク波長のシフトは大きくないものの、赤色の副画素８２５Ｒにおける照射光の取り出し効率が低下する。また、緑色の副画素８２５Ｇと青色の副画素８２５Ｂにおける照射光の取り出し効率も若干低下する。その結果、図２３から理解される通り、画素８２０の全体としての照射光は、赤色成分と緑色成分が減少し、紫色側に若干シフトする。
【００６３】
図２０から理解される通り、表示領域８１０の中央部（Ｃ）においては、主光線からプラス１０度傾斜すると、各副画素８２５における照射光のピーク波長のシフトは大きくない。しかし、赤色の副画素８２５Ｒにおける照射光の取り出し効率が、主光線からマイナス１０度傾斜する場合に比べてさらに低下する。また、緑色の副画素８２５Ｇと青色の副画素８２５Ｂにおける照射光の取り出し効率は、主光線からマイナス１０度傾斜する場合に比べると増大するが、傾斜のない場合に比べると若干低下する。その結果、図２３から理解される通り、画素８２０の全体としての照射光は、赤色成分が減少し、青色側に若干シフトする。
【００６４】
図２１から理解される通り、表示領域８１０の下部（Ｌ）においては、主光線については、各副画素８２５における照射光のピーク波長は適切であり、図２２から理解される通り、画素８２０の全体としての照射光は、白色となる。
【００６５】
図２１から理解される通り、表示領域８１０の下部（Ｌ）においては、主光線からマイナス１０度傾斜すると、緑色の副画素８２５Ｇが短波長側にシフトする。また、青色の副画素８２５Ｂも短波長側に若干シフトする。また、取り出し効率は、全ての副画素８２５において低下する。その結果、図２４から理解される通り、画素８２０の全体としての照射光は、赤色成分、緑色成分、および青色成分が減少し、紫色側に若干シフトする。
【００６６】
図２１から理解される通り、表示領域８１０の下部（Ｌ）においては、主光線からプラス１０度傾斜すると、各色の副画素８２５における照射光のピーク波長のシフトは少ない。しかし、赤色の副画素８２５Ｒと緑色の副画素８２５Ｂにおける照射光の取り出し効率が低下する。その結果、図２４から理解される通り、画素８２０の全体としての照射光は、赤色成分と緑色成分が減少し、青色側に若干シフトする。
【００６７】
以上のように、カラーフィルター８４０の重なり合いの幅を、表示領域８１０の列方向（Ｙ方向）における副画素８２５の位置によらず一定にした場合には、主光線の傾斜の度合いに応じて、画素８２０の全体としての照射光の色度が白色からシフトすることがわかる。
【００６８】
そこで、本実施形態においては、表示領域８１０の列方向（Ｙ方向）における副画素８２５の位置に応じて、各色のカラーフィルター８４０の重なり合いの幅を異なるように設定する。図１２は、本実施形態における各色のカラーフィルター８４０の重なり合いの幅を説明するための図である。図１２に示すように、重なり合いの幅は、各色のカラーフィルター８４０の平面視における行方向（Ｘ方向）に延在する端辺と、図１２に点線で示されるバンク２１７の中心線との間隔として表すこととする。図１２において、赤色カラーフィルター８４０Ｒがバンク２１７の中心線よりも列方向（Ｙ方向）の上側で重なり合う幅は、マイナス側の幅Ｒ−として表す。赤色カラーフィルター８４０Ｒがバンク２１７の中心線よりも列方向（Ｙ方向）の下側で重なり合う幅は、プラス側の幅Ｒ＋として表す。緑色カラーフィルター８４０Ｇがバンク２１７の中心線よりも列方向（Ｙ方向）の上側で重なり合う幅は、マイナス側の幅Ｇ−として表す。緑色カラーフィルター８４０Ｇがバンク２１７の中心線よりも列方向（Ｙ方向）の下側で重なり合う幅は、プラス側の幅Ｇ＋として表す。青色カラーフィルター８４０Ｂがバンク２１７の中心線よりも列方向（Ｙ方向）の上側で重なり合う幅は、マイナス側の幅Ｂ−として表す。青色カラーフィルター８４０Ｂがバンク２１７の中心線よりも列方向（Ｙ方向）の下側で重なり合う幅は、プラス側の幅Ｂ＋と表す。
なお、図１２においては、理解を容易にするために、各カラーフィルターの行方向（Ｘ方向）の位置をずらして表している。
【００６９】
図１３は、本実施形態における各色のカラーフィルター８４０の重なり合いの幅の一例を示す図である。図１３では、表示領域８１０の列方向（Ｙ方向）における上部（Ｕ）、中央部（Ｃ）、下部（Ｌ）の代表的な三か所における重なり合いの幅を示しているが、実際には、さらに細分化された複数の箇所において重なり合いの幅が設定されている。
【００７０】
図１３から理解される通り、赤色カラーフィルター８４０Ｒのマイナス側の幅Ｒ−は、中央部（Ｃ）よりも下部（Ｌ）に近くなる程、小さくなるように設定されている。中央部（Ｃ）よりも下部（Ｌ）側においては、各副画素８２５の主光線はマイナス方向、つまり、表示領域８１０の列方向（Ｙ方向）における中央部（Ｃ）側に傾斜している。図２１から理解される通り、下部（Ｌ）側においては、主光線からマイナス方向に傾斜する場合、青色の副画素８２５Ｂの取り出し効率が低下する。そこで、中央部（Ｃ）よりも下部（Ｌ）側において青色カラーフィルター８４０Ｂと重なり合う、赤色カラーフィルター８４０Ｒのマイナス側の幅Ｒ−を減少させ、青色カラーフィルター８４０Ｂが機能する領域を増加させている。
【００７１】
図１３から理解される通り、赤色カラーフィルター８４０Ｒのプラス側の幅Ｒ＋は、中央部（Ｃ）よりも下部（Ｌ）に近くなる程、大きくなるように設定されている。図２１から理解される通り、下部（Ｌ）側においては、主光線からマイナス方向に傾斜する場合、緑色の副画素８２５Ｇの取り出し効率が低下するが、赤色の副画素８２５Ｒの取り出し効率がより一層低下する傾向にある。そこで、中央部（Ｃ）よりも下部（Ｌ）側において緑色カラーフィルター８４０Ｇと重なり合う、赤色カラーフィルター８４０Ｒのプラス側の幅Ｒ＋を増加させ、赤色カラーフィルター８４０Ｒが機能する領域を増加させている。
【００７２】
図１３から理解される通り、緑色カラーフィルター８４０Ｇのマイナス側の幅Ｇ−は、中央部（Ｃ）よりも下部（Ｌ）に近くなる程、大きくなるように設定されている。図２１から理解される通り、下部（Ｌ）側においては、主光線からマイナス方向に傾斜する場合、緑色の副画素８２５Ｇの取り出し効率が低下する傾向にある。そこで、中央部（Ｃ）よりも下部（Ｌ）側において赤色カラーフィルター８４０Ｒと重なり合う、緑色カラーフィルター８４０Ｇのマイナス側の幅Ｇ−を増加させ、緑色カラーフィルター８４０Ｇが機能する領域を増加させている。
【００７３】
図１３から理解される通り、緑色カラーフィルター８４０Ｇのプラス側の幅Ｇ＋は、中央部（Ｃ）よりも上部（Ｕ）に近くなる程、また、中央部（Ｃ）よりも下部（Ｌ）に近くなる程、小さくなるように設定されている。図１９から理解される通り、上部（Ｕ）側においては、主光線からプラス方向に傾斜する場合、赤色の副画素８２５Ｒの取り出し効率の低下が著しい。この現象は図１０からも理解され得る。そこで、本実施形態においては、中央部（Ｃ）よりも上部（Ｕ）側において赤色カラーフィルター８４０Ｒと重なり合う、緑色カラーフィルター８４０Ｇのプラス側の幅Ｒ＋を減少させ、赤色カラーフィルター８４０Ｒが機能する領域を増加させている。図１１は、上部（Ｕ）において、緑色カラーフィルター８４０Ｇのマイナス側の幅Ｇ−を減少させた例を示している。図１０と図１１とを比較することにより理解されるように、主光線からプラス方向に傾斜する場合でも、緑色カラーフィルター８４０Ｇのマイナス側の幅Ｇ−を減少させることにより、赤色カラーフィルター８４０Ｒが機能する領域が増加している。また、図２１から理解される通り、下部（Ｌ）側においては、主光線からマイナス方向に傾斜する場合、青色の副画素８２５Ｂの取り出し効率の低下が著しい。そこで、本実施形態においては、中央部（Ｃ）よりも下部（Ｌ）側において青色カラーフィルター８４０Ｂと重なり合う、緑色カラーフィルター８４０Ｇのプラス側の幅Ｒ＋を減少させ、青色カラーフィルター８４０Ｂが機能する領域を増加させている。
【００７４】
図１３から理解される通り、青色カラーフィルター８４０Ｂのマイナス側の幅Ｂ−は、中央部（Ｃ）よりも上部（Ｕ）に近くなる程、大きくなるように設定されている。図１９から理解される通り、上部（Ｕ）側においては、主光線からプラス方向に傾斜する場合、緑色の副画素８２５Ｇの取り出し効率は低下しないが、青色の副画素８２５Ｂの取り出し効率が低下する傾向にある。この現象は図１０からも理解され得る。そこで、中央部（Ｃ）よりも上部（Ｕ）側において緑色カラーフィルター８４０Ｇと重なり合う、青色カラーフィルター８４０Ｂのマイナス側の幅Ｂ−を増加させ、青色カラーフィルター８４０Ｂが機能する領域を増加させている。図１１は、上部（Ｕ）において、青色カラーフィルター８４０Ｂのマイナス側の幅Ｂ−を増加させた例を示している。図１０と図１１とを比較することにより理解されるように、主光線からプラス方向に傾斜する場合でも、青色カラーフィルター８４０Ｂのマイナス側の幅Ｂ−を増加させることにより、青色カラーフィルター８４０Ｂが機能する領域が増加している。
【００７５】
図１３から理解される通り、青色カラーフィルター８４０Ｂのプラス側の幅Ｇ＋は、中央部（Ｃ）よりも下部（Ｌ）に近くなる程、小さくなるように設定されている。図２１から理解される通り、下部（Ｌ）側においては、主光線からマイナス方向に傾斜する場合、赤色の副画素８２５Ｒの取り出し効率の低下が著しい。そこで、本実施形態においては、中央部（Ｃ）よりも下部（Ｌ）側において赤色カラーフィルター８４０Ｒと重なり合う、青色カラーフィルター８４０Ｂのプラス側の幅Ｂ＋を減少させ、赤色カラーフィルター８４０Ｒが機能する領域を増加させている。
【００７６】
図１１および図１３に示す本実施形態における、表示領域８１０の上部（Ｕ）、中央部（Ｃ）、および下部（Ｌ）における照射光のシフトについて、図１９ないし図３０を参照しつつ説明する。
図２５は本実施形態の表示領域８１０の上部（Ｕ）における主光線と、主光線からマイナス１０度傾斜した光と、主光線からプラス１０度傾斜した光とのスペクトルを比較した図である。図２０は本実施形態の表示領域８１０の中央部（Ｃ）における主光線と、主光線からマイナス１０度傾斜した光と、主光線からプラス１０度傾斜した光とのスペクトルを比較した図である。図２１は本実施形態の表示領域８１０の下部（Ｌ）における主光線と、主光線からマイナス１０度傾斜した光と、主光線からプラス１０度傾斜した光とのスペクトルを比較した図である。図２２は本実施形態の表示領域８１０の上部（Ｕ）における主光線と、主光線からマイナス１０度傾斜した光と、主光線からプラス１０度傾斜した光との色度を示す色度図である。図２３は本実施形態の表示領域８１０の中央部（Ｃ）における主光線と、主光線からマイナス１０度傾斜した光と、主光線からプラス１０度傾斜した光との色度を示す色度図である。図２４は本実施形態の表示領域８１０の下部（Ｌ）における主光線と、主光線からマイナス１０度傾斜した光と、主光線からプラス１０度傾斜した光との色度を示す色度図である。
【００７７】
図２５から理解される通り、表示領域８１０の上部（Ｕ）においては、主光線については、各副画素８２５における照射光のピーク波長は適切であり、図２８から理解される通り、画素８２０の全体としての照射光は、白色となる。
【００７８】
図２５と、比較例の表示領域８１０の上部（Ｕ）におけるスペクトルを示す図１９とを比較すると理解されるように、主光線からマイナス１０度傾斜すると、青色の副画素８２５Ｂにおける照射光の取り出し効率が比較例よりも低く抑えられ、各色の副画素８２５のバランスが改善される。その結果、図２８と、比較例の図２２とを比較すると理解されるように、画素８２０の全体としての照射光における白色光からのシフト量が減少している。
【００７９】
図２５と、比較例の図１９とを比較すると理解されるように、主光線からプラス１０度傾斜すると、赤色の副画素８２５Ｒのシフト量と照射光の取り出し効率が比較例よりも改善されている。また、緑色の副画素８２５Ｇのシフト量と照射光の取り出し効率が比較例よりも改善されている。その結果、図２８と、比較例の図２２とを比較すると理解されるように、画素８２０の全体としての照射光における白色光からのシフト量が減少している。
【００８０】
図２６から理解される通り、表示領域８１０の中央部（Ｃ）においては、主光線については、各副画素８２５における照射光のピーク波長は適切であり、図２９から理解される通り、画素８２０の全体としての照射光は、白色となる。
【００８１】
図２６と、比較例の図２０とを比較すると理解されるように、主光線からマイナス１０度傾斜すると、青色の副画素８２５Ｂにおける照射光の取り出し効率が比較例よりも低く抑えられ、各色の副画素８２５のバランスが改善される。その結果、図２９と、比較例の図２３とを比較すると理解されるように、画素８２０の全体としての照射光における白色光からのシフト量が減少している。
【００８２】
図２６と、比較例の図２０とを比較すると理解されるように、主光線からプラス１０度傾斜すると、赤色の副画素８２５Ｒの照射光の取り出し効率が比較例よりも改善されている。また、緑色の副画素８２５Ｇの照射光の取り出し効率が比較例よりも低く抑えられている。さらに、青色の副画素８２５Ｂの照射光の取り出し効率が比較例よりも低く抑えられている。その結果、各色の副画素８２５のバランスが改善され、図２９と、比較例の図２３とを比較すると理解されるように、画素８２０の全体としての照射光における白色光からのシフト量が減少している。
【００８３】
図２７から理解される通り、表示領域８１０の下部（Ｌ）においては、主光線については、各副画素８２５における照射光のピーク波長は適切であり、図３０から理解される通り、画素８２０の全体としての照射光は、白色となる。
【００８４】
図２７と、比較例の図２１とを比較すると理解されるように、主光線からマイナス１０度傾斜すると、赤色の副画素８２５Ｒにおける照射光の取り出し効率が比較例よりも高くなり、各色の副画素８２５のバランスが改善される。その結果、図３０と、比較例の図２４とを比較すると理解されるように、画素８２０の全体としての照射光における白色光からのシフト量が減少している。
【００８５】
図２７と、比較例の図２１とを比較すると理解されるように、主光線からプラス１０度傾斜すると、赤色の副画素８２５Ｒと緑色の副画素８２５Ｇの照射光の取り出し効率が比較例よりも高くなっている。また、青色の副画素８２５Ｂの照射光の取り出し効率が比較例よりも低く抑えられている。その結果、各色の副画素８２５のバランスが改善され、図３０と、比較例の図２４とを比較すると理解されるように、画素８２０の全体としての照射光における白色光からのシフト量が減少している。
【００８６】
なお、図３１は、本実施形態の表示領域８１０の行方向（Ｘ方向）における主光線と、主光線からマイナス２０度傾斜した光と、主光線からプラス２０度傾斜した光とのスペクトルを示す図である。図３２は本実施形態の表示領域８１０の行方向（Ｘ方向）における主光線と、主光線からマイナス２０度傾斜した光と、主光線からプラス２０度傾斜した光との色度を示す色度図である。
【００８７】
図３１から理解される通り、表示領域８１０の行方向（Ｘ方向）においては、主光線については、各副画素８２５における照射光のピーク波長は適切であり、図３２から理解される通り、画素８２０の全体としての照射光は、白色となる。
【００８８】
図３１から理解される通り、表示領域８１０の行方向（Ｘ方向）においては、主光線からマイナス２０度傾斜した場合と、主光線からプラス２０度傾斜した場合との各副画素８２５における照射光のスペクトルはほぼ同じ傾向を示す。また、いずれの場合も、緑色の副画素８２５Ｇにおける照射光のシフトが発生し、赤色の副画素８２５Ｒにおける照射光の取り出し効率が低下するものの、全体としてのバランスは良好となっている。その結果、図３２から理解される通り、画素８２０の全体としての照射光は、主光線から傾斜した場合でも、ほぼ白色光となる。
【００８９】
以上のように、本実施形態においては、表示領域８１０の列方向（Ｙ方向）における副画素８２５の位置に応じて、カラーフィルター８４０の重なり合いの幅を異なるようにした。したがって、表示領域８１０の列方向（Ｙ方向）における副画素８２５の位置によらずに、画素８２０の全体としての照射光の色度の白色からのシフトを減少させることができる。言い換えれば、主光線の傾斜の度合いによらずに、画素８２０の全体としての照射光の色度の白色からのシフトを減少させることができる。その結果、表示領域８１０の列方向（Ｙ方向）において、互いに異なる色の副画素８２５が並んで配置される場合であっても、色のバランスがよくなり、視野角特性を向上させることができる。
【００９０】
また、本実施形態においては、主光線の傾斜が大きい行方向（Ｘ方向）に、各色のカラーフィルターを延在させ、当該方向には、同色のカラーフィルターが並ぶように配置したので、行方向（Ｘ方向）において電気光学装置８０を見る角度による輝度や色度の変化が抑えられ、視野角特性を向上させることができる。
【００９１】
＜変形例＞
本発明は、上述した各実施形態に限定されるものではなく、例えば、以下に述べる各種の変形が可能である。また、各実施形態及び各変形例を適宜組み合わせてもよいことは勿論である。
【００９２】
（１）上述した実施形態では、各色のカラーフィルターが、表示領域８１０の行方向（Ｘ方向）に延在して設けられ、行方向（Ｘ方向）には同色のカラーフィルターが並ぶ構成について説明した。しかし、本発明はこのような構成に限定される訳ではない。例えば、各色のカラーフィルターが、表示領域８１０の列方向（Ｙ方向）に延在して設けられ、列方向（Ｙ方向）には同色のカラーフィルターが並ぶ構成であっても本発明を適用することができる。この場合には、行方向（Ｘ方向）において、各色のカラーフィルターの中心位置を、各副画素における発光素子の中心位置に対してずらすようにすればよい。また、行方向（Ｘ方向）において各カラーフィルターの重なり合いの幅を、副画素の行方向（Ｘ方向）における位置に応じて異なるようにすればよい。
【００９３】
（２）上述した実施形態では、各副画素の列方向（Ｙ方向）における順序を、赤色、緑色、および青色としたが、本発明はこのような構成に限定されるものではない。各副画素の列方向（Ｙ方向）における順序は、他の順序であってもよい。この場合には、副画素の列方向（Ｙ方向）における位置と、各カラーフィルターの関係に応じて、各カラーフィルターの重なり合いの幅を調整すればよい。
【００９４】
（３）上述した実施形態においては電気光学材料の一例としてＯＬＥＤを取上げたが、それら以外の電気光学材料を用いた電気光学装置にも本発明は適用される。電気光学材料とは、電気信号（電流信号または電圧信号）の供給によって透過率や輝度といった光学的特性が変化する材料である。例えば、液晶、無機ＥＬや発光ポリマーなどの発光素子を用いた表示パネルに対しても上記実施形態と同様に本発明が適用され得る。また、着色された液体と当該液体に分散された白色の粒子とを含むマイクロカプセルを電気光学材料として用いた電気泳動表示パネルに対しても上記実施形態と同様に本発明が適用され得る。さらに、極性が相違する領域ごとに異なる色に塗り分けられたツイストボールを電気光学材料として用いたツイストボールディスプレイパネルに対しても上記実施形態と同様に本発明が適用され得る。黒色トナーを電気光学材料として用いたトナーディスプレイパネル、あるいはヘリウムやネオンなどの高圧ガスを電気光学材料として用いたプラズマディスプレイパネルなど各種の電気光学装置に対しても上記実施形態と同様に本発明が適用され得る。
【００９５】
＜応用例＞
この発明は、各種の電子機器に利用され得る。図３３ないし図３５は、この発明の適用対象となる電子機器の具体的な形態を例示するものである。
【００９６】
図３３は本発明の電気光学装置を採用した電子機器としてのヘッドマウントディスプレイの外観を示す斜視図である。図３３に示されるように、ヘッドマウントディスプレイ３００は、外観的には、一般的な眼鏡と同様にテンプル３１０や、ブリッジ３２０、投射光学系３０１Ｌ、３０１Ｒを有する。図示を省略するが、ブリッジ３２０近傍であって投射光学系３０１Ｌ，３０１Ｒの奥側には、左眼用の電気光学装置８０と、右眼用の電気光学装置８０とが設けられる。
【００９７】
図３４は、電気光学装置を採用した可搬型のパーソナルコンピューターの斜視図である。パーソナルコンピューター２０００は、各種の画像を表示する電気光学装置８０と、電源スイッチ２００１やキーボード２００２が設置された本体部２０１０とを具備する。
【００９８】
図３５は、携帯電話機の斜視図である。携帯電話機３０００は、複数の操作ボタン３００１およびスクロールボタン３００２と、各種の画像を表示する電気光学装置８０とを備える。スクロールボタン３００２を操作することによって、電気光学装置８０に表示される画面がスクロールされる。本発明はこのような携帯電話機にも適用可能である。
【００９９】
なお、本発明が適用される電子機器としては、図１、および図３３ないし図３５に例示した機器のほか、携帯情報端末（ＰＤＡ：Ｐｅｒｓｏｎａｌ  Ｄｉｇｉｔａｌ  Ａｓｓｉｓｔａｎｔｓ）が挙げられる。その他にも、デジタルスチルカメラ，テレビ，ビデオカメラ，カーナビゲーション装置，車載用の表示器（インパネ），電子手帳，電子ペーパー，電卓，ワードプロセッサー，ワークステーション，テレビ電話，ＰＯＳ端末が挙げられる。さらに、プリンター，スキャナー，複写機，ビデオプレーヤー，タッチパネルを備えた機器等などが挙げられる。
【符号の説明】
【０１００】
１０…プリズム、１０ｅ…上面、１１…第１プリズム部分、１２…第２プリズム部分、３０…投射レンズ、３１，３２，３３…レンズ、５０…光透過部材、６１…フレーム、６１ｅ…下面、６２…鏡筒、７０…投射透視装置、８０，８０Ｂ，８０Ｇ，８０Ｒ…電気光学装置、１００…ヘッドマウントディスプレイ、１０１…透視部材、１０２…フレーム、１０３ａ…第１光学部分、１０３ｂ…第２光学部分、１０５ａ…第１内蔵装置部、１０５ｂ…第２内蔵装置部、１５１…第１表示器機、１５２…第２表示器機、２１０…画素電極、２１１…有機発光層、２１２…共通電極、２１３…保護層、２１５…基板本体、２１６…素子基板、２１７…バンク、２１８…分離部、８１０…表示領域、８２０…画素、８３０…発光素子、８４０…カラーフィルター、８４０Ｒ…赤色カラーフィルター、８４０Ｇ…緑色カラーフィルター、８４０Ｂ…青色カラーフィルター、２０００…パーソナルコンピューター、２００１…電源スイッチ、２００２…キーボード、２０１０…本体部、３０００…携帯電話機、３００１…操作ボタン、３００２…スクロールボタン、４０００…投射型表示装置、４００１…照明光学系、４００２…照明装置、４００３…投射光学系、４００４…投射面、ＥＹ…眼、ＧＬ…映像光、ＰＲ…主光線、Ｓ１１…第１面、Ｓ１２…第２面、Ｓ１３…第３面、Ｓ１４…第４面、Ｓ１５…第５面、ＳＲ…副光線、ｂ…青色成分、ｇ…緑色成分、ｒ…赤色成分。
【図１】
2018128683.tif 000003
【図２】
2018128683.tif 000004
【図３】
2018128683.tif 000005
【図４】
2018128683.tif 000006
【図５】
2018128683.tif 000007
【図６】
2018128683.tif 000008
【図７】
2018128683.tif 000009
【図８】
2018128683.tif 000010
【図９】
2018128683.tif 000011
【図１０】
2018128683.tif 000012
【図１１】
2018128683.tif 000013
【図１２】
2018128683.tif 000014
【図１３】
2018128683.tif 000015
【図１４】
2018128683.tif 000016
【図１５】
2018128683.tif 000017
【図１６】
2018128683.tif 000018
【図１７】
2018128683.tif 000019
【図１８】
2018128683.tif 000020
【図１９】
2018128683.tif 000021
【図２０】
2018128683.tif 000022
【図２１】
2018128683.tif 000023
【図２２】
2018128683.tif 000024
【図２３】
2018128683.tif 000025
【図２４】
2018128683.tif 000026
【図２５】
2018128683.tif 000027
【図２６】
2018128683.tif 000028
【図２７】
2018128683.tif 000029
【図２８】
2018128683.tif 000030
【図２９】
2018128683.tif 000031
【図３０】
2018128683.tif 000032
【図３１】
2018128683.tif 000033
【図３２】
2018128683.tif 000034
【図３３】
2018128683.tif 000035
【図３４】
2018128683.tif 000036
【図３５】
2018128683.tif 000037
【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
表示領域の第１の方向および前記第１の方向と交差した方向である第２の方向に配列された複数の副画素を備える電気光学装置であって、
前記複数の副画素の各々は、
発光素子と、
カラーフィルターと、を備え、
前記複数の副画素は、互いに異なる色のカラーフィルターを備えた副画素を含み、該カラーフィルターに対応して表示色が異なり、
前記第１の方向には同色の前記カラーフィルターが並び、前記第２の方向には互いに異なる色の前記カラーフィルターが並ぶように配置され、
前記複数の副画素は、前記第２の方向において隣り合うカラーフィルターが平面視で重なり合うように配置され、平面視で重なり合う幅が、前記第２の方向における前記副画素の位置に応じて異なる副画素を含む、
ことを特徴とする電気光学装置。
【請求項２】
前記複数の副画素は、前記複数の副画素に含まれる前記カラーフィルターの前記第２の方向における中心位置が、前記発光素子の発光面の前記第２の方向における中心位置に対してずれている副画素を含む、
ことを特徴とする請求項１に記載の電気光学装置。
【請求項３】
前記複数の副画素は、前記第２の方向において、赤色のカラーフィルター、緑色のカラーフィルター、および青色のカラーフィルターの順序で繰り返し配置されており、平面視で緑色のカラーフィルターが青色のカラーフィルターと重なり合う幅が小さい副画素を含む、
ことを特徴とする請求項１または請求項２に記載の電気光学装置。
【請求項４】
前記複数の副画素は、前記第２の方向において、赤色のカラーフィルター、緑色のカラーフィルター、および青色のカラーフィルターの順序で繰り返し配置されており、平面視で緑色のカラーフィルターが赤色のカラーフィルターと重なり合う幅が大きい副画素を含む、
ことを特徴とする請求項１ないし請求項３のいずれか一に記載の電気光学装置。
【請求項５】
前記複数の副画素は、前記第２の方向において、赤色のカラーフィルター、緑色のカラーフィルター、および青色のカラーフィルターの順序で繰り返し配置されており、平面視で緑色のカラーフィルターが青色のカラーフィルターと重なり合う幅が小さい副画素を含む、
ことを特徴とする請求項１ないし請求項４のいずれか一に記載の電気光学装置。
【請求項６】
前記複数の副画素は、前記第２の方向において、赤色のカラーフィルター、緑色のカラーフィルター、および青色のカラーフィルターの順序で繰り返し配置されており、平面視で赤色のカラーフィルターが青色のカラーフィルターと重なり合う幅が小さい副画素を含む、
ことを特徴とする請求項１ないし請求項５のいずれか一に記載の電気光学装置。
【請求項７】
前記複数の副画素は、前記第２の方向において、赤色のカラーフィルター、緑色のカラーフィルター、および青色のカラーフィルターの順序で繰り返し配置されており、平面視で赤色のカラーフィルターが緑色のカラーフィルターと重なり合う幅が大きい副画素を含む、
ことを特徴とする請求項１ないし請求項６のいずれか一に記載の電気光学装置。
【請求項８】
前記複数の副画素は、前記第２の方向において、赤色のカラーフィルター、緑色のカラーフィルター、および青色のカラーフィルターの順序で繰り返し配置されており、平面視で青色のカラーフィルターが緑色のカラーフィルターと重なり合う幅が大きい副画素を含む、
ことを特徴とする請求項１ないし請求項７のいずれか一に記載の電気光学装置。
【請求項９】
前記複数の副画素は、前記第２の方向において、赤色のカラーフィルター、緑色のカラーフィルター、および青色のカラーフィルターの順序で繰り返し配置されており、平面視で青色のカラーフィルターが赤色のカラーフィルターと重なり合う幅が小さい副画素を含む、
ことを特徴とする請求項１ないし請求項８のいずれか一に記載の電気光学装置。
【請求項１０】
請求項１から請求項９のいずれかの電気発光装置を具備する電子機器。
【手続補正２】
【補正対象書類名】明細書
【補正対象項目名】００７３
【補正方法】変更
【補正の内容】
【００７３】
図１３から理解される通り、緑色カラーフィルター８４０Ｇのプラス側の幅Ｇ＋は、中央部（Ｃ）よりも上部（Ｕ）に近くなる程、また、中央部（Ｃ）よりも下部（Ｌ）に近くなる程、小さくなるように設定されている。図１９から理解される通り、上部（Ｕ）側においては、主光線からプラス方向に傾斜する場合、青色の副画素８２５Ｂの取り出し効率の低下が著しい。そこで、本実施形態においては、中央部（Ｃ）よりも上部（Ｕ）側において青色カラーフィルター８４０Ｂと重なり合う、緑色カラーフィルター８４０Ｇのプラス側の幅Ｇ＋を減少させ、青色カラーフィルター８４０Ｂが機能する領域を増加させている。図１１は、上部（Ｕ）において、緑色カラーフィルター８４０Ｇのマイナス側の幅Ｇ−を減少させた例を示している。図１０と図１１とを比較することにより理解されるように、主光線からプラス方向に傾斜する場合でも、緑色カラーフィルター８４０Ｇのマイナス側の幅Ｇ−を減少させることにより、赤色カラーフィルター８４０Ｒが機能する領域が増加している。また、図２１から理解される通り、下部（Ｌ）側においては、主光線からマイナス方向に傾斜する場合、青色の副画素８２５Ｂの取り出し効率の低下が著しい。そこで、本実施形態においては、中央部（Ｃ）よりも下部（Ｌ）側において青色カラーフィルター８４０Ｂと重なり合う、緑色カラーフィルター８４０Ｇのプラス側の幅Ｇ＋を減少させ、青色カラーフィルター８４０Ｂが機能する領域を増加させている。
【手続補正３】
【補正対象書類名】明細書
【補正対象項目名】００７５
【補正方法】変更
【補正の内容】
【００７５】
図１３から理解される通り、青色カラーフィルター８４０Ｂのプラス側の幅Ｂ＋は、中央部（Ｃ）よりも下部（Ｌ）に近くなる程、小さくなるように設定されている。図２１から理解される通り、下部（Ｌ）側においては、主光線からマイナス方向に傾斜する場合、赤色の副画素８２５Ｒの取り出し効率の低下が著しい。そこで、本実施形態においては、中央部（Ｃ）よりも下部（Ｌ）側において赤色カラーフィルター８４０Ｒと重なり合う、青色カラーフィルター８４０Ｂのプラス側の幅Ｂ＋を減少させ、赤色カラーフィルター８４０Ｒが機能する領域を増加させている。
【手続補正４】
【補正対象書類名】明細書
【補正対象項目名】００７６
【補正方法】変更
【補正の内容】
【００７６】
図１１および図１３に示す本実施形態における、表示領域８１０の上部（Ｕ）、中央部（Ｃ）、および下部（Ｌ）における照射光のシフトについて、図１９ないし図３０を参照しつつ説明する。
図２５は本実施形態の表示領域８１０の上部（Ｕ）における主光線と、主光線からマイナス１０度傾斜した光と、主光線からプラス１０度傾斜した光とのスペクトルを比較した図である。図２６は本実施形態の表示領域８１０の中央部（Ｃ）における主光線と、主光線からマイナス１０度傾斜した光と、主光線からプラス１０度傾斜した光とのスペクトルを比較した図である。図２７は本実施形態の表示領域８１０の下部（Ｌ）における主光線と、主光線からマイナス１０度傾斜した光と、主光線からプラス１０度傾斜した光とのスペクトルを比較した図である。図２８は本実施形態の表示領域８１０の上部（Ｕ）における主光線と、主光線からマイナス１０度傾斜した光と、主光線からプラス１０度傾斜した光との色度を示す色度図である。図２９は本実施形態の表示領域８１０の中央部（Ｃ）における主光線と、主光線からマイナス１０度傾斜した光と、主光線からプラス１０度傾斜した光との色度を示す色度図である。図３０は本実施形態の表示領域８１０の下部（Ｌ）における主光線と、主光線からマイナス１０度傾斜した光と、主光線からプラス１０度傾斜した光との色度を示す色度図である。